Podtech/llm-jp-corpus-v4-ja_patent huggingface dataset:
(57)【要約】【課題】従来よりの銘板は、文字が塗装により作成されているため、日照、風雪により脱色、変色、光沢性に欠けるものである。【解決手段】この塗装文字の代わりに箔を焼き付ける事によって退色や変色を避ける様にし、永続性持続性に長け、耐光性、耐久性に富む。【選択図】図３
2005153262.tif 000002
【特許請求の範囲】
【請求項１】
支持体と感光層からなる感光性樹脂版の感光層側に、パターンのついたネガフイルムを載置し、その上から光を照射し、ネガフイルムを通過した光が照射される部分の感光層を光硬化させ、次いでネガフイルムを除去し、水によって光硬化した部分以外の部分を除去し、そして加熱処理したあと、凹部に塗料を塗布し、その硬化した上面に箔を焼き付ける
ことにより製造される銘板。
【請求項２】
出来あがった形状の凹部に塗装する前、凸部に弱練性油脂（グリースかポマード）を塗布し、その後凹部と共に凸部にも塗料を塗布し、生乾きの状態で塗装膜とその下部の弱練性油脂を除去することにより製造される請求項１の銘板。
【請求項３】
凹部に塗料を塗布した後、凸部に接着剤をやや薄めに塗布し、乾燥した後、箔を載置し、約１２０度から約１６０度の熱で焼き付けることにより製造される請求項１の銘板。
【発明の詳細な説明】
【技術分野】
【０００１】
本発明は銘板の製造方法に関するものであり、既に得ている特許との相違点は表面に塗装等で着色するものではなく、箔で焼きつけたことである。
【背景技術】
【０００２】
従来行なわれていた物は感光性樹脂に塗料を塗布し着色したものである。
【発明の開示】
【発明が解決しようとする課題】
【０００３】
ここで言う銘板は名称、単位を表示する板、自動車に付ける名板、ネームプレート、機械の銘板、賞状、店頭ディスプレー、点字で表示する銘板を言う。従来よりの物は、日照、風雪により脱色、変色、光沢性に欠けるものである。
【課題を解決するための手段】
【０００４】
退色や変色をさけるために箔を焼き付け、また樹脂と箔の間に接着剤を塗布する事により耐久性に富む。
【発明の効果】
【０００５】
箔は鉱物性であり密着性があり、日照や風雪にも充分耐え、永続的持続性があり、又、箔には金、銀、紺、赤、白等の各色があり、いずれの色を用いても従来の着色された製品よりも充分耐光性耐久性に効果が得られる。
【発明を実施するための最良の形態】
【０００６】
支持体と感光層からなる感光性樹脂板の感光層側に、パターンのついたネガフイルムを載置し、その上から光を照射し、ネガフイルムを通過した光が照射される部分の感光層を光硬化させ、次いでネガフイルムを除去し、水によって光硬化した部分以外の部分を除去し、そして加熱処理したあと、凹部に塗料を塗布し、その硬化した凸面に箔を焼き付ける。従来の発明で表した製品と本発明の製品とを出来上がった状態で比べると本製品は断然品性と高級感に優れ、比べようのない優位性が歴然として判別できる。
【実施例１】
【０００７】
支持体（図２の２）アルミに接着剤層を介して感光層2.1ミリのポバール系感光樹脂（リジロンＭＸII）の上に（い、ろ、は、に）のパターンの入ったネガフィルムを感光性樹脂の上に置き、次にフィルムの上から紫外線光線を１分３０秒間照射しネガフィルムを除去し、光硬化した部分以外の部分を水によって除去し残った凸部に（図３）接着剤を塗布しその上から箔（金等）を載置し１２０度から約１６０度の熱で焼き付ける。
【実施例２】
【０００８】
支持体（図２の２）鉄板に接着剤層を介して感光層２ミリのポバール系感光樹脂（リジロンＭＸII）の上に（い、ろ、は、に）のパターンの入ったネガフィルムを感光性樹脂の上に置き、次にフィルムの上から紫外線光線を１分３０秒間照射しネガフィルムを除去し、光硬化した部分以外の部分を水によって除去し残った凸部に（図３）接着剤を塗布しその上から箔（金等）を載置し１２０度から約１６０度の熱で焼き付ける。
【実施例３】
【０００９】
表面の弱練性樹脂を下地として塗布するのは、表面を元に戻すためであり、これを塗ることによって塗料を簡単に拭き取ることが出来る。
【産業上の利用可能性】
【００１０】
自動車の名板、機械の銘板等多品種の表示用途に適用できる。
【図面の簡単な説明】
【００１１】
【図１】支持体に感光剤を塗布したものである。
【図２】感光剤の硬化と未硬化の部分を側面から見た図である。
【図３】完成した銘板の例を示したものである。
【符号の説明】
【００１２】
１  感光性樹脂板
２  支持体
３  接着剤層
４  感光層
５  模様シート
６  接着剤の上に箔（金）焼き付け
【図１】
2005153262.tif 000003
【図２】
2005153262.tif 000004
【図３】
2005153262.tif 000005
(57)【要約】【課題】  シーラー材を無機質板基材の内部にまで含浸させることにより、耐水性や耐凍害性に優れた無機質板の塗装方法を提供する。【解決手段】  無機質板基材の表面にシーラー材を含浸してなる無機質板の製造方法おいて、シャワーコーターからシーラー材を前記無機質板基材の表面に塗布した後、前記無機質板をコンベアで移動しながら、絞りロールにより前記無機質板基材の表面を押圧する。また、前記絞りロールを回動させることをにより、効果を促進させる。さらに、前記絞りロールの周速度を前記無機質板の移動速度とは異なることとすることにより、さらに効果を促進させる。【選択図】図１
2005153215.tif 000002
【特許請求の範囲】
【請求項１】
無機質板基材の表面にシーラー材を含浸してなる無機質板の製造方法おいて、シーラー材を前記無機質板基材の表面に塗布した後、前記無機質板を移動させながら、絞りロールにより前記無機質板基材の表面を押圧することを特徴とした無機質板の塗装方法。
【請求項２】
前記絞りロールを回動させることを特徴とした請求項１記載の無機質板の塗装方法。
【請求項３】
前記絞りロールの周速度を前記無機質板基材の移動速度とは異なることとすることを特徴とした請求項１又は請求項２に記載の無機質板の塗装方法。
【請求項４】
前記絞りロールの周速度を前記無機質板基材の移動速度の２０乃至９０％とすることを特徴とした請求項３に記載の無機質板の塗装方法。
【請求項５】
請求項１乃至請求項５のいずれかに記載の無機質板の塗装方法により製造されたものであることを特徴とする無機質板。
【発明の詳細な説明】
【技術分野】
【０００１】
本発明は、無機質板基材の表面にシーラー材を含浸してなる無機質板の塗装方法に関するものである。
【背景技術】
【０００２】
従来から、窯業系無機質材料を用いた無機質板基材の表面にシャワーコーターからシーラー材を無機質板基材の表面に塗布することにより、耐水性、耐凍害性を向上させた無機質板が製造されて、外装材等に使用されている。この塗装方法が、例えば、特開平１１―０１００６５号公報や特開２００１―２７００２８号公報に開示されている。
【特許文献１】特開平１１―０１００６５号公報
【特許文献２】特開２００１―２７００２８号公報
【発明の開示】
【発明が解決しようとする課題】
【０００３】
しかしながら、従来の塗装方法では、シャワーコーターからのシーラー材の塗布であるため、無機質板基材の内部にまで十分にシーラー材が含浸されにくく、表面にシーラー材が残るおそれがあった。このために、製造された無機質板にブロッキングを生じることがあり、耐凍害性が低下するおそれがあった。
【０００４】
本発明は、かかる事由に鑑みてなしたもので、その目的とするところは、シーラー材を無機質板基材の内部にまで含浸させることにより、耐水性や耐凍害性に優れた無機質板の塗装方法を提供することにある。
【課題を解決するための手段】
【０００５】
上記課題を解決するために、本願発明の無機質板の塗装方法は、無機質板基材の表面にシーラー材を含浸してなる無機質板の製造方法おいて、シャワーコーターからシーラー材を前記無機質板基材の表面に塗布した後、前記無機質板をコンベアで移動しながら、絞りロールにより前記無機質板基材の表面を押圧することを特徴としている。
【発明の効果】
【０００６】
本願発明の無機質板の塗装方法は、絞りロールにより前記無機質板基材の表面を押圧するので、シーラー材を無機質板の内部にまで容易に含浸させることでき、無機質板の耐水性や耐凍害性を向上することができる。
【発明を実施するための最良の形態】
【０００７】
本願発明の無機質板の塗装方法を図１に基づいて説明する。無機質板基材は、セメント等の水硬性材料、強化繊維、軽量骨材、水等を原料とする水硬性組成物を混練したものを、プレス成形、抄造成形、押出し成形等によって板状に成形されたものである。この無機質板基材１を図１に示すように、コンベア５の上に配設して移動させながら、シャワーコーター２からシーラー材３を吹きつけて表面に塗布させる。このものの表面に上部から絞りロール４を押圧させて、シーラー材３を無機質板基材１の内部に含浸させる。
【０００８】
本実施形態で使用したシーラー材３は、関西ペイント（株）製のアクリル塗料（品番ＩＭ２１０３Ｒ―３）であり、コンベア５の移動速度は、２５ｍ／分である。この状態で、絞りロール４の回動速度を変化させることにより、絞りロール４の周速度を変化させて、無機質板を製造した。この後、この無機質板をオートクレーブで養生・乾燥させることにより、外装材・瓦等の無機質板を得ている。得られた無機質板のシーラー材の含浸量を測定すると共に、オートクレーブ養生後にシーラー材の固着により、無機質板どうしがくっついてしまう現象であるブロッキングによるトラブルの発生や、耐凍害性を評価した。この結果を表１に示す。
【０００９】
【表１】
2005153215.tif 000003
【００１０】
表１に示すように、絞りロールを回動させたときに、シーラー材が無機質板基材の内部にまで浸透して、シーラー材の含浸量が増加してしている。この結果として、ブロッキングを生じにくくなり、耐凍害性が向上している。特に、絞りロールの周速度をコンベアの移動速度の２０乃至９０％にしたときに、この効果が向上している。
【００１１】
本願発明の無機質板の塗装方法は無機質板基材の表面にシーラーを含浸してなる無機質板の製造方法おいて、シャワーコーターからシーラー材を無機質板基材の表面に塗布した後、無機質板基材をコンベアで移動しながら、絞りロールにより無機質板基材の表面を押圧しているので、シーラー材が無機質板基材の内部にまで容易に含浸することにより、無機質板の耐水性や耐凍害性が向上する。
【００１２】
また、前記絞りロールを回動させることにより、シーラー材が無機質板基材の内部にまでさらに含浸することになり、無機質板の耐水性や耐凍害性がより向上する。
【００１３】
また、絞りロールの周速度を無機質板基材の移動速度とは異なることとすることにより、シーラー材が無機質板基材の内部にまでさらに含浸することになり、無機質板の耐水性や耐凍害性がより向上する。
【００１４】
さらに、絞りロールの周速度を無機質板基材の移動速度の２０乃至９０％とすることにより、シーラー材が無機質板基材の内部にまでさらに含浸することになり、無機質板の耐水性や耐凍害性がより向上する。
【００１５】
加えて、上記無機質板の塗装方法により無機質板を製造することにより、無機質板の耐水性や耐凍害性の向上した無機質板を提供することができる。
【図面の簡単な説明】
【００１６】
【図１】本実施形態の無機質板の塗装方法を示す側面図である。
【符号の説明】
【００１７】
１        無機質板基材
２        シャワーコーター
３        シーラー材
４        絞りロール
５        コンベア
【図１】
2005153215.tif 000004
(57)【要約】【課題】            ドアフレームのセンターピラーとメインフレームとの結合部は、ドア閉めのとき、車体のドア開口縁に装着したウェザーストリップの形状と合致せず正面視略三角形の空間ができる。そのため、この空間を埋めるコーナブロックを取り付けるが、ウェザーストリップへのコンプレッション成形によりウェザーストリップの一部を三角形とさせているが見栄えが悪い。【解決手段】        ドアフレーム（１１）のセンターピラー（１２）をアウター部材（１６）とプレス成形によるインナー部材（１８）とで構成し、インナー部材（１８）の中空部（１７）の側壁（１９）の端部を円弧面（２０）とさせる。円弧面（２０）は、車体のドア開口縁のウェザーストリップ（６）の形状に沿う形となっている。インナー部材（１８）はプレス成形にて成形される。【選択図】          図１
2005153767.tif 000002
【特許請求の範囲】
【請求項１】
ウインドガラスの上死点を画定するメインフレームと、ウインドガラスの昇降を案内する溝を有するセンターピラーとを少なくとも有するドアフレームにおいて、センターピラーが意匠面と前記溝を有するアウター部材と、アウター部材にその側縁を固定させかつ中空部を有するインナー部材とからなり、インナー部材へ中空部を画定する側壁部の端部が円弧面となっていることを特徴とするドアフレーム。
【請求項２】
円弧面の端縁をメインフレーム側壁面に当接させている請求項１記載のドアフレーム。
【発明の詳細な説明】
【技術分野】
【０００１】
本発明は、改良したセンターピラーを有するドアフレームに関する。
【背景技術】
【０００２】
図３を参照する。車両のドアフレーム１は、ウインドガラスの上死点を画定するメインフレーム２と、ウインドガラスの昇降を案内する溝を有するセンターピラー３とロアフレーム４を有す。ドア閉時、ドアフレーム１は、車両の窓開口５の縁に固定されたウェザーストリップ６に当接し、車内と外気との間の気密を保っている。
図３から明らかなように、メインフレーム２とセンターピラー３との結合部に対応するウェザーストリップ６の部分は、なめらかな円弧を描いて車体に張設させている。
【０００３】
【特許文献１】特開平１０−２５０３７１号公報
【特許文献２】特開平１１−２４０３９４号公報
【発明の開示】
【発明が解決しようとする課題】
【０００４】
図４を参照する。センターピラー３とメインフレーム２との結合部は、センターピラー３の上端を略４５度（角度）に切断し、かつメインフレーム２の後端を略４５度（角度）に切断し、両切断面を合わせて溶接することでメインフレーム２にセンターピラー３を固定させている。したがって、該結合部は略９０度（角度）となっており、そのため、ウェザーストリップ６の対応部分の円弧面とに形状の相異が出る。
【０００５】
前述した形状の差異は、図４に示すコーナブロック７に相当する空間を作る。この空間は見栄えが悪くウェザーストリップ６の気密性に好影響を与えるものでないので、合成樹脂製のコーナブロック７を該空間に配する構成が採用されている。或いは、ウェザーストリップ６をコーナブロックのような形にコンプレッション成形し、該空間を埋めている。
【０００６】
しかしながら、センターピラー３の意匠面８に沿う形のコーナブロック７の存在は、やはり、見栄えが悪く、改善が要求されている。
それ故に、本発明は、前述した従来技術の不具合を解消させることを解決すべき課題とする。
【課題を解決するための手段】
【０００７】
本発明は、前述した課題を解決するために、センターピラーを意匠面と溝を有するアウター部材と、中空部を有しかつアウター部材に固定されるインナー部材とより構成し、中空部を構成する側壁を円弧状に成形し、円弧面の端縁をメインフレームに当接させる技術手段を採用する。
【０００８】
本発明によれば、ウインドガラスの上死点を画定するメインフレームと、ウインドガラスの昇降を案内する溝を有するセンターピラーとを少なくとも有するドアフレームにおいて、センターピラーが意匠面と前記溝を有するアウター部材と、アウター部材にその側縁を固定させかつ中空部を有するインナー部材とからなり、インナー部材へ中空部を画定する側壁部の端部が円弧面となっていることを特徴とするドアフレームが提供される。
【発明の効果】
【０００９】
改良されたセンターピラーを用いることにより、従来使用していたコーナブロックが不用となり、見栄えが良くなる。さらに、ウェザーストリップをドアの開口縁の曲線に沿って配すればよく、ウェザーストリップの取付作業は容易である。
【発明を実施するための最良の形態】
【００１０】
図１を参照する。ドアフレーム１１を構成するセンターピラー１２は、意匠面１４とウインドガラスの昇降を案内する溝１５を有するアウター部材１６と、溝１５の室内側に位置する中空部１７を有するインナー部材１８とから構成される。
アウター部材１６は、スチール板をロール成形することにより製作され、インナー部材１８はスチール板をプレス成形することにより製作される。
【００１１】
アウター部材１６の意匠面１４側の側縁はインナー部材１８の側縁にカール止めされ、アウター部材１６の溝１５を画定する側壁はインナー部材１８の中空部１７を画定する側壁部１９にスポット溶接される。図示例では、側壁部１９の側縁にフランジを形成し、該フランジをアウター部材１６の側縁にスポット溶接しているが、別の手段で両側縁を固定させても良い。
【００１２】
インナー部材１８の中空部１７を画定する側壁部１９の端部は、図３に示すウェザーストリップ６の曲部に沿う円弧面２０に成形される。この円弧面２０はプレス成形により形成される。
【００１３】
円弧面２０の形成は、図２に示すように、中空部１７を画定する底壁２１の端部を幅広とさせる。円弧面２０の端縁はメインフレーム１３の側壁部２２に当接し、溶接される。
【００１４】
インナー部材１８の側壁部１９への円弧面２０の設置は、インナー部材１８をプレス成形にて製作する工程で容易に得られ、そのための特別の工具、装置を必要としない。円弧面２０の設置は、従来必要としたコーナブロックやウェザーストリップのコンプレッション成形を不用とし、見栄えの良いドアフレーム１１の提供を可能とする。
【図面の簡単な説明】
【００１５】
【図１】ドアフレームのセンターピラーとメインフレームとの結合部を示す部分斜視図である。
【図２】センターピラーに設けた円弧面を示す部分斜視図である。
【図３】車両のドア部を示す正面図である。
【図４】従来のセンターピラーとメインフレームとの結合部を示す部分斜視図である。
【符号の説明】
【００１６】
１１    ドアフレーム
１２    センターピラー
１３    メインフレーム
１５    溝
１６    アウター部材
１７    中空部
１８    インナー部材
１９    側壁部
２０    円弧面
【図１】
2005153767.tif 000003
【図２】
2005153767.tif 000004
【図３】
2005153767.tif 000005
【図４】
2005153767.tif 000006
(57)【要約】【課題】本発明は、一年を通して順序が変動せずに、常に連続した数ヶ月を一覧できる折り込み式連続カレンダーを提供する。【解決手段】紙面の下半分を暦に使用し、複数枚の暦を上部で綴じてなるカレンダーにおいて、その綴じしろ下端からカレンダー下端までのほぼ中央に綴じしろと平行な折り線を設けるとともに、綴じしろの下に切り離し用ミシン目を設け、切り離した後にカレンダーの折り返し部分を挟み込む機能を持った庇状紙片が残る構造にしたことを特徴とする折り込み式連続カレンダーである。【選択図】図３
2005153367.tif 000002
【特許請求の範囲】
【請求項１】
紙面の下半分を暦に使用し、複数枚の暦を上部で綴じてなるカレンダーに、その綴じしろ下端からカレンダー下端までのほぼ中央に綴じしろと平行な折り線を設けるとともに、綴じしろの下に切り離し用ミシン目を設け、切り離した後にカレンダーの折り返し部分を挟み込む機能を持った庇状紙片が残る構造にしたことを特徴とする折り込み式連続カレンダー。
【発明の詳細な説明】
【技術分野】
【０００１】
本発明は、一年を通して順序が変動せずに、常に連続した数ヶ月を一覧できる折り込み式連続カレンダーに関するものである。
【背景技術】
【０００２】
従来のカレンダーは図４の（Ａ）（Ｂ）のように、1枚が1ヶ月ないしは2ヶ月で構成されていて、複数枚の暦を上部で綴じ込んだ物が多い。また図５のように、１枚に２ヶ月併記のカレンダーで、前の月が終了した時点でその暦部分を切り取るためのミシン目を設けることで、常に連続して２ヶ月の暦を一覧できるものもある。（例えば特許文献１、２及び３参照）
【０００３】
【特許文献１】実用新案公開平６−０２００６５
【特許文献２】特許公開平８−０７２４３８
【特許文献３】特許公開平１１−２６８４４６
【発明の開示】
【発明が解決しようとする課題】
【０００４】
カレンダーは単に日付と曜日を確認するだけでなく、多くの場合、予定表としても使われる現実において、中長期の予定を組み、スケジュール管理していくには、常に先々の日付が一覧できる必要があるにもかかわらず、図４の（Ａ）（Ｂ）のような従来のカレンダーでは、使用ページの最終月の後半ともなれば、次月の曜日を確認する場合や、予定を記入するためには、その都度当月の暦を捲って、次月の暦を活用しなければならないという煩わしさがあった。しかも次月の予定を記入しておいても、月が変わるまで見ることができないという難点があった。
【０００５】
また、図５のような１枚に２ヶ月併記のカレンダーで、前の月が終了した時点でその暦部分を切り取りミシン目７で切り取ることで、常に連続して２ヶ月の暦を一覧できるカレンダーでも、暦の順序が逆転する月が発生し、違和感を覚えて使いにくいという難点があった。そこで、この発明は、一年を通して順序が変動せずに、常に数ヶ月間を同時に一覧でき、予定表としても優れた機能を有する折り込み式連続カレンダーを提供することを課題とする。
【課題を解決するための手段】
【０００６】
本発明は、上記の問題点を解消するために、紙面の下半分を暦に使用し、複数枚の暦を上部で綴じてなるカレンダーにおいて、その綴じしろ下端からカレンダー下端までのほぼ中央に綴じしろと平行な折り線を設けるとともに、綴じしろの下に切り離し用ミシン目を設け、切り離した後にカレンダーの折り返し部分を挟み込む機能を持った庇状紙片が残る構造にしたことを特徴とする折り込み式連続カレンダーである。
【発明の効果】
【０００７】
以上説明したように、本発明の折り込み式連続カレンダーは、紙面の下半分を暦に使用し、複数枚の暦を上部で綴じてなるカレンダーにおいて、その綴じしろ下端からカレンダー下端までのほぼ中央に綴じしろと平行な折り線を設けるとともに、綴じしろの下に切り離し用ミシン目を設け、切り離した後にカレンダーの折り返し部分を挟み込む機能を持った庇状紙片が残る構造にしているので、一年を通して順序が変動せずに、常に数ヶ月を一覧できるので、予定表としても優れた機能を発揮するものである。
【発明を実施するための最良の形態】
【０００８】
本発明の好適な実施形態を図面に基づき説明する。
【実施例】
【０００９】
図１は、折り込み式連続カレンダーの表紙の説明図である。図１に示すように、折り込み式連続カレンダーの表紙は、綴じしろ１の下に切り離し用ミシン目４を設け、切り離した後に１月カレンダーの折り返し部分を挟み込む機能を持った庇状紙片３が残る構造にしている。表紙の使い方は任意だが、年号と当該カレンダーの使用方法の記載が好ましい。
【００１０】
図２は、折り込み式連続カレンダーの１月紙面の説明図である。図２に示すように、紙面の下半分を１月暦に使用し、上端に綴じしろ１を持ち、綴じしろ下端２からカレンダー下端６までのほぼ中央に綴じしろ１と平行な折り線５を設けるとともに、綴じしろ１の下に切り離し用ミシン目４を設け、切り離した後に２月カレンダーほぼ中央の折り線５aを挟み込む機能を持った庇状紙片３が残る構造にしている。また２月以降のカレンダー紙面も同様の仕様になっている。
【００１１】
図３は、折り込み式連続カレンダーの内、１月カレンダーの一実施例の説明図である。１月カレンダーほぼ中央の折り線５で山折りし、綴じしろ下端２まで持ち上げ、その山折り先端部となった折り線５を、表紙を切り離した後に残った庇状紙片３で挟み込んだ状態を示す。この後１月暦の全体を圧接することで１月のカレンダー下端６と２月カレンダーほぼ中央の折り線５aが重なり、１月暦と２月暦を同時に一覧することができる。
【００１２】
また１月終了時には１月カレンダーを綴じしろ下の切り離し用ミシン目４で切り離し、２月カレンダーほぼ中央の折り線５aで山折りし、その山折り先端部となった折り線５aを、綴じしろ下端から突出した庇状紙片３で挟み込めば、２月暦と３月暦を同時に一覧することができる。
【００１３】
同様の作業を繰り返すことで、一年を通して順序が変動せずに、常に連続した２ヶ月を一覧することができ、予定表としても優れた機能を発揮するものである。
【００１４】
なお１枚のカレンダー紙面には１ヶ月の暦だけでなく、２ヶ月以上の暦を記載してもよい。
また、綴じしろ下端からカレンダー下端までのほぼ中央にある折り線の変わりにミシン目を設けてもよい。
【図面の簡単な説明】
【００１５】
【図１】本発明の折り込み式連続カレンダーの表紙の正面図である。
【図２】本発明の折り込み式連続カレンダーの１月紙面の正面図である。
【図３】本発明の折り込み式連続カレンダーの一実施例を示す斜視図である。
【図４】従来のカレンダーであり、（Ａ）は１枚が１ヶ月で構成されているものであり、(B)は１枚が2ヶ月で構成されているものである。
【図５】従来のカレンダーであり、１枚に２ヶ月併記の暦の内、前の暦が切り取れるものである。
【符号の説明】
【００１６】
１  綴じしろ
２  綴じしろ下端
３  庇状紙片
４  切り離し用ミシン目
５  １月カレンダーほぼ中央の折り線
５a ２月カレンダーほぼ中央の折り線
６  カレンダー下端
７  切り取りミシン目
【図１】
2005153367.tif 000003
【図２】
2005153367.tif 000004
【図３】
2005153367.tif 000005
【図４】
2005153367.tif 000006
【図５】
2005153367.tif 000007
(57)【要約】【課題】ヤケ屑の混入を防止することができるゴムチュ−ブ加工法の提供【解決手段】この発明のゴムチュ−ブ加工法は、未加硫ゴムリボン５を第一ゴム押出機Ａに供給し、第一押出機Ａで押し出した紐状の未加硫ゴムを、第一押出機Ａのヘッド部２に設置した回転カッタ−１で米粒状に切断し、米粒状の切断粒３を、連接する第二ゴム押出機Ｂに、直ちに供給し、チュ−ブ状に押し出し成形するゴムチュ−ブ加工法において、回転カッタ−１の刃部をＤＬＣコ−ティングしたことを特徴とするものである。【選択図】図１
2005153304.tif 000002
【特許請求の範囲】
【請求項１】
未加硫ゴムリボンを第一ゴム押出機に供給し、該押出機で押し出した紐状の未加硫ゴムを、該押出機のヘッド部に設置した回転カッタ−で米粒状に切断し、米粒状の切断粒を、連接する第二ゴム押出機に、直ちに供給し、チュ−ブ状に押し出し成形するゴムチュ−ブ加工法において、前記回転カッタ−の刃部をＤＬＣコ−ティングしたことを特徴とするゴムチュ−ブ加工法
【発明の詳細な説明】
【技術分野】
【０００１】
本発明は、ゴムチュ−ブの加工法に関するものである。
【背景技術】
【０００２】
従来、回転カッタ−１としては、図１に示すような片刃の十字カッタ−が使用され、図２に示すように、前記十字カッタ−の平滑面を第一押出機Ａのヘッド２の前面に対向して配設している。第一ゴム押出機Ａから押し出された紐状の未加硫ゴムを前記十字カッタ−で、米粒状に切断し、米粒状の切断粒３を第二ゴム押出機Ｂに供給して、未加硫ゴムチュ−ブ４に押し出し成形しているが、次のような問題点があった。
【０００３】
（１）第一ゴム押出機Ａから押し出される紐状の未加硫ゴムを十字カッタ−で切断する際に、未加硫ゴムが、図１において点線で示したように、十字カッタ−の刃部に付着し、摩擦熱で加硫される。十字カッタ−の刃部に付着し加硫したゴムは、ある時点で、刃部から剥離し、落下して、第二ゴム押出機Ｂに供給され、第二ゴム押出機Ｂから押し出される未加硫ゴムチュ−ブ４の中にヤケ屑として混入し、不良品となってしまう。
（２）ヤケ屑混入を防止するためには、頻繁に、回転カッタ−１の刃部に付着したゴム層の除去をしなければならないので、生産性を著しく損なう。
【０００４】
【特許文献１】特開２００２−２８３２８２号公報
【発明の開示】
【発明が解決しようとする課題】
【０００５】
この発明は、背景技術で記述した問題点を解消するためになされたもので、ヤケ屑の混入を防止することができるゴムチュ−ブ加工法の提供を目的とするものである。
【課題を解決するための手段】
【０００６】
この発明のゴムチュ−ブ加工法は、未加硫ゴムリボンを第一ゴム押出機に供給し、該押出機で押し出した紐状の未加硫ゴムを、該押出機のヘッド部に設置した回転カッタ−で米粒状に切断し、米粒状の切断粒を、連接する第二押出機に、直ちに供給し、チュ−ブ状に押し出し成形するゴムチュ−ブ加工法において、前記回転カッタ−の刃部をＤＬＣコ−ティングしたことを特徴とするものである。
【発明の効果】
【０００７】
この発明は上述のように構成されているので、次のような効果を奏する。
（１）回転カッタ−の刃部に付着した加硫ゴム層が落下しないので、製品へのヤケ屑混入を防止できる。
（２）歩留まりが向上する。
（３）頻繁に、回転カッタ−の刃部に付着したゴム層を除去する必要がないので、生産性が向上する。
【発明を実施するための最良の形態】
【０００８】
ヤケ屑の混入を防止するという目的を、回転カッタ−の刃部をＤＬＣコ−ティングすることによって実現できた。
【実施例】
【０００９】
この発明の実施の一例を図面を参照しながら説明するに、図２に示すように、未加硫ゴムリボン５を第一ゴム押出機Ａに供給し、第一ゴム押出機Ａで押し出した紐状の未加硫ゴムを、第一ゴム押出機Ａのヘッド部２に設置した、例えば、図１に示すような回転カッタ−１で米粒状に切断し、米粒状の切断粒３を、連接する第二ゴム押出機Ｂに、直ちに供給し、チュ−ブ状に押し出し成形するゴムチュ−ブ加工法において、回転カッタ−１の刃部をＤＬＣコ−ティングしている。
【００１０】
回転カッタ−１の刃部をＤＬＣコ−ティングすることにより、刃面の微少な凹凸がなくなり、通常の研磨加工では実現できない程度に平滑度になる。通常の研磨加工の回転カッタ−に、例えば、ゴム層が付着すると、回転カッタ−刃面に微少ではあるが凹凸があるので、その凹凸面に空気を抱き込んだ状態で付着することになる。
【００１１】
したがって、抱き込んだ空気が膨張すると、その膨張力によって、密着性を低減させ、ある限度に達すると、ゴム層が剥離する。
【００１２】
しかし、回転カッタ−１の刃部をＤＬＣコ−ティングすることにより、刃面の微少な凹凸がなくなり、密着性を低減させるような空気層の抱き込みがなくなるので、一旦回転カッタ−１の刃部に付着したゴム層は、回転カッタ−１の刃部から剥離し、落下することがないため、第二ゴム押出機Ｂから押し出される未加硫ゴムチュ−ブ４中へのヤケ屑の混入を防止できる。
【００１３】
なお、回転カッタ−１の刃部へのＤＬＣコ−ティングについては、特に限定はなく、公知のコ−ティング手法は全て適応できる。
【産業上の利用可能性】
【００１４】
未加硫ゴムリボンからゴム押出機を使用して、未加硫ゴムペレットを製造する場合にも利用が可能である。
【図面の簡単な説明】
【００１５】
【図１】回転カッタ−の一例を示す正面図
【図２】ゴムチュ−ブ加工工程の一例を示す概略ブロック図
【符号の説明】
【００１６】
１ 回転カッタ−
２ 第一ゴム押出機のヘッド
３ 米粒状の切断粒
４ 未加硫ゴムチュ−ブ
５ 未加硫ゴムリボン
Ａ 第一ゴム押出機
Ｂ 第二ゴム押出機
【図１】
2005153304.tif 000003
【図２】
2005153304.tif 000004
(57)【要約】【課題】  従来のカードは、それをそのままポケットに入れて持ち歩くと、落とす危険性が有る。  その為、カードをカード入れに入れて持ち歩いている人もいる。その場合、カード入れを必要とし、カードをカード入れへの出し入れする手間を必要とする。  定期券の場合、定期券を定期入れから取り出す為、改札口で、もたもたして後ろに並んでいる人に、迷惑を掛けたりする事がある。  本発明は、以上の欠点を無くすためになされたものである。【解決手段】  非接触読み取り用カード▲１▼に、穴▲２▼をあける。【選択図】  図１
2005108166.tif 000002
【特許請求の範囲】
【請求項１】
非接触読み取り用カード▲１▼に、穴▲２▼をあける。
【発明の詳細な説明】
【発明の詳細な説明】
【技術分野】
【０００１】  穴▲２▼をあけた非接触読み取り用カード▲１▼に関するものである。
【背景技術】
【０００２】  穴があいていなかった。
【発明が解決しようとする課題】
【０００３】  これには次のような欠点があった。  従来のカードは、それをそのままポケットに入れて持ち歩くと、落とす危険性が有る。  その為、カードをカード入れに入れて持ち歩いている人もいる。その場合、カード入れを必要とし、カードをカード入れへの出し入れする手間を必要とする。  定期券の場合、定期券を定期入れから取り出す為、改札口で、もたもたして後ろに並んでいる人に、迷惑を掛けたりする事がある。  本発明は、以上の欠点を無くすためになされたものである。
【発明が解決するための手段】
【０００４】  非接触読み取り用カード▲１▼に、穴▲２▼をあける。
【発明を実施するための最良の形態】
【０００５】  以下、本発明の実施の形態について説明する。  非接触読み取り用カード▲１▼に、穴▲２▼をあける。
【発明の効果】
【０００６】  従来のカードでは、磁気読み取り式の為、機械にカードを通さなければならず、紛失防止の為に、カードに穴をあけて紐を通しても機械の前で紐を外さなければならず、穴をあける意味が無かった。  非接触読み取り式の場合、カードを機械に照らすだけで、通す必要はない。カードに穴をあけておくと、キーホルダーをつけて、ポケット又はバッグにそのまま入れたり、紐を通してベルトに結すび、ポケットに入れておけば、出し入れが容易で落とし難い。又カード入れを持つ必要はない。  定期券の場合、定期券を定期入れから取り出す必要がない為、改札口で、もたもたする事が無く、後ろで並んでいる人に迷惑を掛けずに済む。
【図面の簡単な説明】
【図１】本発明の平面図である。
【符号の説明】
▲１▼    カード▲２▼    穴
【図１】
2005108166.tif 000003
(57)【要約】【目的】  デスク天板上からパソコン本体を埋め込み無くす（操作面、接続面は残る）、デスク天板とパソコン本体上部面を平面化する。【構成】  パソコンケースの上部面に光ディスクドライブ（１）、電源スイッチ（２）、電源ユニット（３）、マザーボードのＩ／Ｏコネクタ群（４），拡張スロット（６）を設ける。  デスク天板（１１）に、パソコン（８）が入る穴をあけ、その穴にパソコン（８）をはめ込む。【選択図】  図２
2005108169.tif 000002
【特許請求の範囲】
【請求項１】
パソコンケースの上部面に光ディスクドライブ（１）、電源スイッチ（２）、電源ユニット（３）、マザーボードのＩ／Ｏコネクタ群（４），拡張スロット（６）を設ける。
デスク天板（１１）に、パソコン（８）が入る穴をあけ、その穴にパソコン（８）をはめ込む。
以上のように構成された、キューブ型はめ込み式パソコン。
【発明の詳細な説明】
【発明の詳細な説明】
【産業上の利用分野】
【０００１】  この発明を利用したパソコンは、デスク上で邪魔にならず、操作性もよく、配線もしやすい。
【背景技術】
【０００２】    従来のパソコンは、パソコン本体（ディスクトップ型）をデスクに置いて使用しているのが一般的、パソコン本体をデスク上に置くことは非常に邪魔である。又、パソコンを床置きにすると操作しずらい。
【発明が解決しようとする課題】
【０００３】  従来のパソコンは、パソコン本体をデスク上に置いていた為スペースをとり、圧迫感があり、邪魔である。
【問題を解決するための手段】
【０００４】パソコンケースの上部面に光ディスクドライブ（１）、電源スイッチ（２）、電源ユニット（３）、マザーボードのＩ／Ｏコネクタ群（４），拡張スロット（６）を設ける。
デスク天板（１１）に、パソコン（８）が入る穴をあけ、その穴にパソコン（８）をはめ込む。
【作用】
【０００５】  デスクに、はめ込まれたパソコンのＩ／Ｏコネクタに周辺機器を接続する、又、電源ユニットに電源コードを接続し、電源スイッチを押しパソコンを、起動させる。
光ディスクもパソコン上部面から出し入れする。
【実施例】
【０００６】以下、本発明の実施例について説明する。
パソコンケースの上部面に光ディスクドライブ（１）、電源スイッチ（２）、電源ユニット（３）、マザーボードのＩ／Ｏコネクタ群（４），拡張スロット（６）を設ける。  デスク天板（１１）に、パソコン（８）が入る穴をあけ、その穴にパソコン（８）をはめ込み、ストッパー（１２）で止まる。
光ディスクドライブ（ＣＤ−ＲＯＭ、ＤＶＤ−Ｒ等）は、スリム型または、スリム型スロットイン式。パソコン上部面に、排熱ファン（５）を設けてもよい、又、フロッピーディスクドライブを設けてもよい、又、メモリーカードライターを設けてもよい。電源ユニット（３）のコード差込口をパソコン本体の側面に設けてもよい。
【発明の効果】
【０００７】  本発明は、以上のような構成でこれを利用したキューブ型埋め込み式パソコンは、デスク上にはパソコンの上部面しか無く、邪魔にならない、周辺機器との配線も容易、操作性もよい。
【図面の簡単な説明】
【図１】本発明のパソコン本体の上部面図
【図２】本発明の斜視図
【図３】パソコンをはめ込んだ、デスク天板の断面図
【符号の説明】
（１）  光ディスクドライブ
（２）  電源スイッチ（パソコン起動用）
（３）  電源ユニット
（４）  Ｉ／Ｏコネクタ群
（５）  排熱用ファン
（６）  拡張スロット
（７）  ディスプレイ
（８）  パソコン本体
（９）  マウス
（１０）キーボード
（１１）デスク天板
（１２）ストッパー
【図１】
2005108169.tif 000003
【図２】
2005108169.tif 000004
【図３】
2005108169.tif 000005
(57)【要約】【目的】  この発明は、携帯電話を所持できても操作できない環境において、電子メールと着信音を利用して情報のおおまかな内容を知ることができるようにしたものである。【構成】  情報発信者側では事象Ａで予想される結果の数だけメールアドレスを用意し、その予想される結果と、それに対応したメールアドレスを情報受信者側に知らせておき、情報受信者側は、情報発信者から知らされたメールアドレスを自身の携帯電話に登録し、それぞれのメールアドレスに対して分りやすい着信音を設定しておく。そして、その着信音と予想される結果は対応づけて覚えておく。情報発信者は、事象Ａの結果を得たら、その結果に対応するメールアドレスで情報受信者に発信する。【選択図】  なし【特許請求の範囲】
【請求項１】
（イ）情報発信者側では事象Ａに対し起こりうる結果ａ、ｂ、ｃ、‥‥に対し、それぞれに対応する電子メールアドレスｍａ、ｍｂ、ｍｃ‥‥を設定し、受信者側に通知する。
（ロ）情報受信者側では自身の携帯電話に対して、電子メールアドレスｍａ、ｍｂ、ｍｃ‥‥の登録と、それぞれに分りやすい別々の着信音を設定する。
（ハ）情報発信者は事象Ａの結果を得たら、それに対応する（イ）の電子メールアドレスで情報受信者にメールを発信する。
（ニ）情報受信者の携帯電話は着信した電子メールアドレスに対応した着信音を鳴らし、情報受信者はその着信音で事象Ａの結果を知ることができる。
以上の如く構成された結果報知システム。
【発明の詳細な説明】
【発明の詳細な説明】
【産業上の利用分野】
【０００１】  この発明は、携帯電話を所持できても操作できない環境で、着信音を利用して情報のおおまかな内容を知ることができるようにしたものである。
【背景技術】
【０００２】  現在の携帯電話、ＰＨＳにおいては、電子メール（以下、メール）の受信、インターネットのホームページの閲覧機能は標準的なものになっている。その結果、自動的に配信される情報は、それらが主体となってきている。しかし、ホームページの閲覧には多くの操作手順と注視を必要とし、メールの閲覧においても、携帯電話の操作は不可欠であった。たとえば、勝ちか負けかなど、極めて単純な情報を受け取るだけでも携帯電話の操作が必要であった。よって、車の運転中、接客中、手袋等の保護具を使用した作業や、諸々の事情で手を放せない作業中は、リアルタイムに情報を受け取る事が難しかった。
【発明が解決しようとする課題点】
【０００３】  本発明では、携帯電話の電子メールシステムを使って、単純な情報ならば、携帯電話を操作しなくても受け取る事ができるシステムを提供する。
【課題を解決するための手段】
【０００４】  方法としては、情報発信者側では事象Ａで予想される結果の数だけメールアドレスを用意し、その予想される結果と、それに対応したメールアドレスを情報受信者側に知らせておく。情報受信者側は、情報発信者から知らされたメールアドレスを自身の携帯電話に登録し、それぞれのメールアドレスに対して分りやすい着信音を設定しておく。そして、その着信音と予想される結果は対応づけて覚えておく。
情報発信者は、事象Ａの結果を得たら、その結果に対応するメールアドレスで情報受信者に発信する。
【実施例および作用、効果】
【０００５】  最も簡単な例として、結果が勝ち負けだけの場合を以下に示す。
結果          メールアドレス                  着信音
勝ち          ｋａｃｈｉ＠ａｂｃ．ｔｓｔ    「ピー、ピー、ピー」
負け          ｍａｋｅ＠ａｂｃ．ｔｓｔ      「ピッ、ピッ、ピッ」
この場合、結果が「勝ち」であれば、情報発信者側から、受信者側の携帯電話に対し、ｋａｃｈｉ＠ａｂｃ．ｔｓｔのメールアドレスからメールが送信される。すると、携帯電話は事前の設定により、「ピー、ピー、ピー」と着信音を鳴らし、受信者側は、その着信音により、携帯電話を操作しなくても「勝ち」という結果を知ることができる。
次に、例として競馬の勝ち馬投票券（以下、馬券）の結果速報システムのモデルを示す。
【０００６】  まず、馬券購入者（情報受信者）は競馬開催者（情報発信者）側に口座を作り、登録する。競馬開催者は、馬券購入者に対し、２つのメールアドレス、例えば、馬券が当たった場合のアドレス、ｋａｃｈｉ＠ｕｍａ．ｔｓｔ、馬券が全て外れた場合のアドレス、ｍａｋｅ＠ｕｍａ．ｔｓｔを事前に伝えておく。馬券購入者は自分の携帯電話の着信音を、前記のアドレスに対し分かりやすい音や音楽を設定しておく。例えば、アドレスｋａｃｈｉ＠ｕｍａ．ｔｓｔにはファンファーレの音、アドレスｍａｋｅ＠ｕｍａ．ｔｓｔに対しては、葬送行進曲としておく。
その後、馬券購入者は任意の時間に携帯電話によりインターネット、電話経由で馬券を購入する。この時点で、競馬開催者側には馬券購入者の購入データが残る。
ここでは、馬券購入者が第１レースで、１−１、１−２、１−３、第２レースで２−１、２−２、２−３を買ったとする。その後、レースが開催され、勝ち馬が決定する。
第１レースで１−２が勝った場合、競馬開催者は馬券購入者に対し、アドレスｋａｃｈｉ＠ｕｍａ．ｔｓｔより、メールを送信する。第２レースでは、２−４が勝った場合、特にメールは発信しない。そして、馬券購入者の勝った馬券が全て外れた場合のみ、アドレスｍａｋｅ＠ｕｍａ．ｔｓｔより、馬券購入者に対しメールを発信する。
結果として、馬券購入者は、携帯電話を操作しなくても、着信音によって、自分の買った馬券が何件当たったか、または全て外れたかがわかる。あとは、自分の都合にあわせてホームページなどで結果の詳細を確認すればよい。
【０００７】  以上、簡単なモデルを提示したが、本システムの応用可能な分野は広いと思われる。特に、メールサーバーと一般的な携帯電話があれば可能なため、コスト的にも優れていると思われる。
【０００８】  なお、本発明の場合、それぞれのメールの発信者アドレスが重要なので、特に内容は無くてもかまわない。また、着信音に音声を使える携帯電話であれば、結果（メールアドレス）に対応した言葉を登録することにより、メールアドレスと結果および着信音の関連を覚えなくて済む。また、旧タイプの携帯電話などでメール別の着信音設定ができなかったり、メール受信ができない機種に対しては、別アドレスのメールの代わりに、別番号の電話を使うことにより同様のシステムを構成することも可能である。
(57)【要約】【課題】  高速インターネットを使った、葬儀進行のライブ配信と電子決済を利用した、香典などの送金システム【解決手段】  新聞などの死亡広告欄にインターネットの住所にあたる、ＵＲＬを印刷することにより、そのホームページから、葬儀の進行をリアルタイムで見ることが出来、同時に香典やお花などをクレジットカードなどの電子決済を利用して支払うシステムである。【選択図】図１
2005108173.tif 000002
【特許請求の範囲】
【請求項１】
新聞等の死亡広告欄に、インターネットの住所にあたるＵＲＬを掲載し、様々な事情で式に参列することの出来ない人たちが、インターネットのホームページにアクセスすることにより、葬儀場に備え付けられたネットワークカメラの映像をリアルタイムで見ることが出来るシステム。
【請求項２】
今まで行われることのなかった、電子マネー（クレジットカード決済、コンビニ決済など）を活用した、香典の送金、および決済システム。および、請求項１のホームページ画面上からお花を贈ったり、メッセージを添えたり、ということがクレジット代行業社を通すことにより、オンラインで、スムーズに行えるシステム。
【発明の詳細な説明】
【技術分野】
【０００１】  本発明はビジネスモデルであり、インターネットの急速な普及と高速ブロードバンド等をより効率的に活用するものである。
【背景技術】
【０００２】  尊厳ある、人間の死そのものが、突発的に起き、それに伴って、葬儀が発生する。【０００３】  したがって、ことが急なため、式に参列したくても、スケジュールの都合や、地理的、物理的問題のため、弔問することが出来ないことがあった。【０００４】  故人に対して大きな義理があれば、あるほど、式に参列できないことが、大きなしこりとなって、心に残った。【０００５】  やむなく、弔電を打ち、花を注文して、誰か友人、知人に香典を託すしか方法がなかった。
【発明の開示】
【発明が解決しようとする課題】
【０００６】  高速ブロードバンドを用いて、葬儀に参列したくても、どうしても参列できない人のために、葬儀の進行をリアルタイムで、見ることが出来るシステム。【０００７】  これと同時に、香典、弔電、お花などを贈るシステム。
【課題を解決するための手段】
【０００８】  このビジネスモデルは、高速インターネットを、より効率的に活用するものである。【０００９】  新聞などの死亡広告欄の最後に、インターネットサイトの住所にあたるＵＲＬを印刷する。【００１０】  葬儀に参列することが、出来なかった人が、そのホー厶ページにアクセスすることにより、葬儀会場に設置されているネットワークカメラの映像を通して、式の進行をリアルタイムで見ることが出来る。【００１１】  それと同時に、香典、弔電（メールメッセージ）、お花を同ページのクレジットカードの電子決済システムを利用して、葬儀会場に送ることが出来る。
【発明の効果】
【００１２】  慣習的で厳粛な葬儀と、高速インターネットや電子マネーなどの現代的なＩＴ技術を効果的に、組み合わせることにより、新しい発想を持った葬儀の形が生まれる。【００１３】  葬儀そのものが、心の問題であって、このビジネスモデルにより、葬儀に参列出来なかったという残念な気持ちから開放される。
【発明の実施するための最良の形態】
【００１４】  以下、本発明の実施の形態を図１に基づいて説明する。
【００１５】  図１において、本ビジネスモデル特許の基本的な流れを示すものである。
【００１６】  葬儀が発生した時点で、新聞などに死亡広告が掲載される。
【００１７】  この掲載依頼文書の最後の行に、ホームページの住所にあたる、ＵＲＬを入れてもらう。
【００１８】  このＵＲＬは、本部のサーバーのホームページであり、本ビジネス特許の入り口にあたる。
【００１９】  図１の３にあたる葬儀会場には、４のネットワークカメラが祭壇を中心に全体を捉えたライブ映像を高速光ネットワークにて、２の本部オペレーションに、映像を送る。
【００２０】  ２の本部オペレーションでは、その日の葬儀の状態に合わせて、ホームページの更新とともに、４のネットワークカメラとの関連付けを行う。
【００２１】  ホームページへのライブ配信は、式の始まる時間の約３０分前から始まり、式が終わった後は、静止画となり、翌日の告別式につながる。
【００２２】  このシステムを利用しようとする一般ユーザー８は、通常のインターネット接続から、新聞で見たＵＲＬを打ち込み、本サイトに入場する。
【００２３】  メニュー画面から目的の斎場と故人の名前を確認して、入場する。
【００２４】  この時点で本システムの使用料９が発生する。
【００２５】  入場した画面には、斎場のライブ映像が音声と共に流され、香典、お花、メッセージなどのボタンが配置されている。
【００２６】  一般ユーザー８は、希望により、香典、お花、メッセージのページへと進む。
【００２７】  香典の場合、送金する金額とカード会社、個人情報などを入力し、与信の結果を待つ。
【００２８】  決済が下りた時点で、本部から斎場に送金のメールが流れ葬儀の会計係に入金データとして渡される。
【００２９】  お花を贈る場合も同様の経緯を経て、最終的に７の全国の花屋チェーンに注文メールが送られ、斎場に商品であるお花が届く。
【００３０】  メッセージは、プリントアウトした形でご遺族に渡される。
【００３１】  本部のオペレーション２は、外部インターネットとは、光高速ブロードバンドでつながっていて、サーバーの負担を減らすべく、最大限にトラフィックの分散を行うシステムが組まれている。
【００３２】  ４のネットワークカメラは、マイク内蔵型なので、会場のお経や式の進行、ご遺族のご挨拶も、聞くことが出来る。
【００３３】  この４のネットワークカメラは、画像、音声共にＭＰＥＧ４に変換され、インターネット上でストレスを感じない仕様になっている。
【図面の簡単な説明】
【００３４】
【図１】システム構成図
【符号の説明】
【００３５】  １    高速インターネット網  ２    本部オペレーション  ３    葬儀会場  ４    ネットワークカメラ  ５    クレジットカード決済代行会社  ６    各クレジット会社  ７    全国の花屋チェーン  ８    一般ユーザー  ９    利用料１０    各種サービス提供１１    注文書メール１２    支払１３    申請１４    与信１５    決済１６    結果１７    送金１８    ライブ映像１９    各会場に配達
【図１】
2005108173.tif 000003